(57)【要約】【課題】誤った機器情報の登録を低減することが可能な機器情報管理装置を得ること。【解決手段】機器情報管理装置３は、機器の識別情報および識別情報の入力手段を示す入力手段情報を含む機器情報であって、新たに登録する機器の機器情報である新規登録機器情報を受信する通信部３１と、新規登録機器情報と、データベースに登録済の機器情報である登録済機器情報とを比較し、識別情報の重複を検知する重複検知部３２と、重複検知部３２が識別情報の重複を検知した場合、入力手段情報に基づいて、新規登録機器情報を登録するか否かを判断する機器情報管理部３４と、を備える。【選択図】図５
2020106886.tif 000002
【特許請求の範囲】
【請求項１】
機器の識別情報および当該識別情報の入力手段を示す入力手段情報を含む機器情報であって、新たに登録する機器の前記機器情報である新規登録機器情報を受信する通信部と、
前記新規登録機器情報と、データベースに登録済の前記機器情報である登録済機器情報とを比較し、前記識別情報の重複を検知する重複検知部と、
前記重複検知部が前記識別情報の重複を検知した場合、前記入力手段情報に基づいて、前記新規登録機器情報を登録するか否かを判断する機器情報管理部と、
を備える機器情報管理装置。
【請求項２】
前記入力手段は、自動または手動であり、
前記機器情報管理部は、前記新規登録機器情報の前記入力手段が自動の場合、前記新規登録機器情報を登録し、前記新規登録機器情報の前記入力手段が手動の場合、前記新規登録機器情報に含まれる前記識別情報の確認または再入力を促す画面を出力する請求項１に記載の機器情報管理装置。
【請求項３】
前記機器情報は、前記機器の移設による登録か否かを示す登録理由情報を含み、
前記機器情報管理部は、前記新規登録機器情報の前記入力手段が手動の場合、前記登録理由情報に基づいて、前記新規登録機器情報を登録するか否かを判断する請求項２に記載の機器情報管理装置。
【請求項４】
前記機器情報管理部は、前記画面に、前記入力手段情報および前記登録理由情報に基づいて判断した各機器情報の状態ごとに異なるメッセージを表示する請求項３に記載の機器情報管理装置。
【請求項５】
前記機器情報管理部は、前記入力手段が自動の場合、前記機器情報が正しいと判断し、前記入力手段が手動の場合、比較対象の機器情報の前記入力手段と、前記登録理由情報とに基づいて前記機器情報が誤っていると判定できる状態か、または誤っているか否かを判定できない状態かを判断する請求項４に記載の機器情報管理装置。
【請求項６】
前記機器情報管理部は、前記画面に、前記登録済機器情報および前記新規登録機器情報のそれぞれに含まれる識別情報のそれぞれが誤っていると判断できる状態か、または前記識別情報が誤っているか否かを判断できない状態かを示すメッセージを表示する請求項３から５のいずれか１項に記載の機器情報管理装置。
【請求項７】
管理対象の機器と、
前記機器の識別情報を取得し、当該識別情報の入力手段を示す入力手段情報および前記識別情報を含む機器情報を生成する携帯端末と、
前記機器情報を管理する機器情報管理装置と、
を備え、
前記機器情報管理装置は、
新たに登録する機器の前記機器情報である新規登録機器情報を前記携帯端末から受信する通信部と、
前記新規登録機器情報と、データベースに登録済の前記機器情報である登録済機器情報とを比較し、前記識別情報の重複を検知する重複検知部と、
前記重複検知部が前記識別情報の重複を検知した場合、前記入力手段情報に基づいて、前記新規登録機器情報を登録するか否かを判断する機器情報管理部と、
を有する機器情報管理システム。
【請求項８】
機器の識別情報および当該識別情報の入力手段を示す入力手段情報を含む機器情報であって、新たに登録する機器の前記機器情報である新規登録機器情報を受信するステップと、
前記新規登録機器情報と、データベースに登録済の前記機器情報である登録済機器情報とを比較し、前記識別情報の重複を検知するステップと、
前記識別情報の重複が検知された場合、前記入力手段情報に基づいて、前記新規登録機器情報を登録するか否かを判断するステップと、
を含む機器情報管理方法。
【発明の詳細な説明】
【技術分野】
【０００１】
本発明は、機器情報の誤登録を抑制する機器情報管理装置、機器情報管理システムおよび機器情報管理方法に関する。
【背景技術】
【０００２】
近年、空気調和機などの機器の運転状態をクラウド上に蓄積し、解析することで、機器の劣化診断および故障診断を行う技術が普及している。このような診断を行うためには、機器を一意に識別する識別情報などを含む機器情報を管理する必要がある。識別情報としては、一般的には型名および製造番号が使用されることが多い。このような機器情報の入力手段としては、手動および自動入力が考えられる。
【０００３】
特許文献１には、可視光通信を使用して機器情報を空気調和機から取得する技術が開示されている。自動で機器情報を入力する方法としては、可視光通信の他にＢＬＥ（Bluetooth（登録商標）  Low  Energy）などの近距離無線通信、カメラを使用したＱＲコード（登録商標）または銘板の読み取りなどが挙げられる。自動で機器情報を入力する場合、手動で機器情報を入力する場合と比較して、機器情報の誤入力を低減することができる。
【先行技術文献】
【特許文献】
【０００４】
【特許文献１】特開２０１７−１６３２２０号公報
【発明の概要】
【発明が解決しようとする課題】
【０００５】
しかしながら、上記従来の技術によれば、機器情報の自動入力機能を備える機器については機器情報の誤入力を低減することができるが、自動入力機能を備えない機器については手動で入力する必要がある。手動で機器情報を入力する場合には、人間が操作しているため、誤った機器情報が登録される場合があるという問題があった。
【０００６】
本発明は、上記に鑑みてなされたものであって、誤った機器情報の登録を低減することが可能な機器情報管理装置を得ることを目的とする。
【課題を解決するための手段】
【０００７】
上述した課題を解決し、目的を達成するために、本発明に係る機器情報管理装置は、機器の識別情報および当該識別情報の入力手段を示す入力手段情報を含む機器情報であって、新たに登録する機器の機器情報である新規登録機器情報を受信する通信部と、新規登録機器情報と、データベースに登録済の機器情報である登録済機器情報とを比較し、識別情報の重複を検知する重複検知部と、重複検知部が識別情報の重複を検知した場合、入力手段情報に基づいて、新規登録機器情報を登録するか否かを判断する機器情報管理部と、を備える。
【発明の効果】
【０００８】
本発明によれば、誤った機器情報の登録を低減することが可能であるという効果を奏する。
【図面の簡単な説明】
【０００９】
【図１】本発明の実施の形態１にかかる機器情報管理システムの構成を示す図
【図２】図１に示す機器情報管理システムの動作を示すシーケンス図
【図３】図１に示す空気調和機の構成を示す図
【図４】図１に示す携帯端末の構成を示す図
【図５】図１に示す機器情報管理装置の構成を示す図
【図６】図１に示す機器情報管理システムの各機能を実現するためのハードウェア構成の説明図
【図７】図５に示す機器情報管理装置の動作を示すフローチャート
【図８】図７に示すステップＳ２０６で表示される画面＃１を示す図
【図９】図７に示すステップＳ２０７で表示される画面＃２を示す図
【図１０】本発明の実施の形態２にかかる機器情報管理装置の動作を示すフローチャート
【図１１】図１０に示すステップＳ３０７で表示される画面＃３を示す図
【図１２】図１０に示すステップＳ３０８で表示される画面＃４を示す図
【図１３】図１０に示すステップＳ３１４で表示される画面＃５を示す図
【図１４】図１０に示すステップＳ３１６で表示される画面＃６を示す図
【図１５】図１０に示すステップＳ３２０で表示される画面＃７を示す図
【発明を実施するための形態】
【００１０】
以下に、本発明の実施の形態にかかる機器情報管理装置、機器情報管理システムおよび機器情報管理方法を図面に基づいて詳細に説明する。なお、この実施の形態によりこの発明が限定されるものではない。
【００１１】
実施の形態１．
図１は、本発明の実施の形態１にかかる機器情報管理システム１０の構成を示す図である。機器情報管理システム１０は、管理対象の機器である空気調和機１と、機器情報の入力端末である携帯端末２と、空気調和機１の機器情報を管理するクラウド上のサーバである機器情報管理装置３とを有する。携帯端末２と機器情報管理装置３とは、クラウドネットワーク４を介して通信可能である。
【００１２】
空気調和機１は、室外機５と、室内機６と、リモートコントローラ７とを有する。空気調和機１の室外機５および室内機６は、リモートコントローラ７による設定値に基づいて動作することができる。リモートコントローラ７は、室内機６に空気調和機１の動作に関する設定値を指示することができる。またリモートコントローラ７は、携帯端末２との通信機能を有している。
【００１３】
携帯端末２は、管理対象の機器の機器情報を取得してクラウドネットワーク４上の機器情報管理装置３に送信する機能を有する。携帯端末２は、例えば、機器情報の登録画面に従って、携帯端末２を操作するユーザが手動で入力する機器情報を受け付けることができる。また携帯端末２は、空気調和機１のリモートコントローラ７から自動で機器情報を受けつけることもできる。自動で機器情報を入力する方法としては、可視光通信、近距離無線通信などの通信手段を使用した方法、ＱＲコードなどの二次元コード、銘板をカメラで撮影し、画像から機器情報を解析する方法などが挙げられる。手動または自動で取得する機器情報は、管理対象の機器を識別する識別情報を含む。携帯端末２は、取得した機器情報に、機器情報の入力手段を示す入力手段情報を付加して、機器情報管理装置３に送信する。なお、識別情報は、空気調和機１の室外機５、室内機６、およびリモートコントローラ７のそれぞれに与えられる。
【００１４】
機器情報管理装置３は、空気調和機１の機器情報を管理する機能を有する。機器情報管理装置３は、携帯端末２とクラウドネットワーク４を介して通信可能であり、携帯端末２から空気調和機１の機器情報を取得することができる。機器情報管理装置３は、空気調和機１の機器情報の登録処理を行うことができる。
【００１５】
図２は、図１に示す機器情報管理システム１０の動作を示すシーケンス図である。まず携帯端末２は、空気調和機１から機器情報を取得する（ステップＳ１０１）。携帯端末２への機器情報の入力手段は、手動または自動入力である。手動の場合、例えば、携帯端末２にインストールされた機器登録用のアプリケーションソフトウェアの出力する画面に設けられた入力欄に、機器情報の識別情報を示す文字列をユーザがキー入力することで、機器情報を入力することができる。自動入力の場合、例えば、携帯端末２が空気調和機１のリモートコントローラ７から通信路を介して機器情報を受信したり、携帯端末２に備わるカメラを用いて、二次元コード、銘板などを撮影することで機器情報を入力したりすることができる。
【００１６】
携帯端末２は、機器情報が入力されると、入力された機器情報に、機器情報の入力手段を示す入力手段情報を付加する（ステップＳ１０２）。携帯端末２は、入力手段情報を付加した機器情報を機器情報管理装置３に送信する（ステップＳ１０３）。
【００１７】
機器情報管理装置３は、携帯端末２から機器情報を取得すると、取得した機器情報の登録処理を行う（ステップＳ１０４）。機器情報の登録処理の詳細については後述するが、機器情報管理装置３は、新たに登録する機器の機器情報である新規登録機器情報と、既にデータベースに登録された機器情報である登録済機器情報とに基づいて、新規登録機器情報を登録するか否かを判断する。機器情報管理装置３は、機器情報の登録処理が終わると、登録処理の結果を示す結果表示画面を携帯端末２に出力する（ステップＳ１０５）。
【００１８】
図３は、図１に示す空気調和機１の構成を示す図である。空気調和機１は、室外機５と、室内機６と、リモートコントローラ７とを有する。室外機５は、室外制御部５１と、メモリ５２とを有する。室外制御部５１は、室外機５の運転状態などを制御する。メモリ５２は、室外機５に関する情報、例えば、室外機５の型名、製造番号といった識別情報を含む機器情報を記憶する。
【００１９】
室内機６は、室内制御部６１と、メモリ６２とを有する。室内制御部６１は、室内機６の運転状態などを制御する。メモリ６２は、室内機６に関する情報、例えば、室内機６の型名、製造番号といった識別情報を含む機器情報を記憶する。
【００２０】
リモートコントローラ７は、リモコン制御部７１と、携帯通信部７２と、メモリ７３とを有する。リモコン制御部７１は、室外機５および室内機６を操作する。携帯通信部７２は、携帯端末２と通信する。メモリ７３は、リモートコントローラ７に関する情報、例えば、リモートコントローラ７の型名、製造番号といった識別情報を含む機器情報を記憶する。
【００２１】
図４は、図１に示す携帯端末２の構成を示す図である。携帯端末２は、端末制御部２１と、端末操作部２２と、端末表示部２３と、クラウド通信部２４と、機器通信部２５と、カメラ部２６と、メモリ部２７とを有する。
【００２２】
端末制御部２１は、携帯端末２を制御する。端末操作部２２は、端末への入力操作を受け付ける。端末表示部２３は、ユーザに表示画面を出力する。クラウド通信部２４は、クラウドネットワーク４と通信する機能を有する。機器通信部２５は、空気調和機１のリモートコントローラ７の携帯通信部７２と通信することができ、リモートコントローラ７から機器情報を取得することができる。カメラ部２６は、被写体を撮像して画像を得る。メモリ部２７は、記憶装置であり、機器通信部２５が取得した機器情報などを記憶することができる。以下では、携帯端末２は、手動または機器通信部２５を用いた自動入力機能を用いて、機器情報を取得することとするが、二次元コードなどを用いる場合、カメラ部２６を用いて二次元コードを読み取り、機器情報を取得することができる。
【００２３】
図５は、図１に示す機器情報管理装置３の構成を示す図である。機器情報管理装置３は、通信部３１と、重複検知部３２と、機器情報データベース３３と、機器情報管理部３４とを有する。
【００２４】
通信部３１は、クラウドネットワーク４と通信する機能を有する。通信部３１は、クラウドネットワーク４を介して携帯端末２と通信することができる。通信部３１は、携帯端末２から空気調和機１の機器情報を受信すると、受信した機器情報を重複検知部３２に入力する。重複検知部３２は、通信部３１から入力される機器情報であって、新たに登録する機器情報である新規登録機器情報と、機器情報データベース３３に既に登録された機器情報である登録済機器情報とを比較し、識別情報の重複を検知する。重複検知部３２は、検知結果および新規登録機器情報を機器情報管理部３４に入力する。
【００２５】
機器情報データベース３３は、機器情報が登録されたデータベースである。機器情報データベース３３に登録されている機器情報は、入力手段情報を含んでいる。なお、ここでは機器情報管理装置３が機器情報データベース３３を備えることとしたが、機器情報データベース３３は、機器情報管理装置３の外部に設けられてもよい。機器情報データベース３３が機器情報管理装置３の外部に設けられる場合、重複検知部３２および機器情報管理部３４は、通信部３１を介して機器情報データベース３３から情報を取得したり、機器情報データベース３３に情報を記憶させたりすることができる。
【００２６】
機器情報管理部３４は、重複検知部３２から入力される検知結果および新規登録機器情報に基づいて、新規登録機器情報を機器情報データベース３３に登録するか否かを判断する。具体的には、機器情報管理部３４は、検知結果が、登録済機器情報の中に、新規登録機器情報に含まれる識別情報と重複する機器情報がないことを示す場合、新規登録機器情報を機器情報データベース３３に登録する。機器情報管理部３４は、検知結果が、登録済機器情報の中に、新規登録機器情報に含まれる識別情報と重複する機器情報があることを示す場合、登録済機器情報および新規登録機器情報のそれぞれの入力手段情報に基づいて、新規登録機器情報を登録するか否かを判断する。
【００２７】
ここで、図１に示す機器情報管理システム１０の各機能を実現するためのハードウェア構成について説明する。図６は、図１に示す機器情報管理システム１０の各機能を実現するためのハードウェア構成の説明図である。プロセッサ９１は、ＣＰＵ（Central  Processing  Unit）であり、中央処理装置、処理装置、演算装置、マイクロプロセッサ、マイクロコンピュータ、ＤＳＰ（Digital  Signal  Processor）などとも呼ばれる。メモリ９２は、例えば、ＲＡＭ（Random  Access  Memory）、ＲＯＭ（Read  Only  Memory）、フラッシュメモリー、ＥＰＲＯＭ（Erasable  Programmable  ＲＯＭ）、ＥＥＰＲＯＭ（登録商標）（Electrically  ＥＰＲＯＭ）などの不揮発性または揮発性の半導体メモリ、磁気ディスク、フレキシブルディスク、光ディスク、コンパクトディスク、ミニディスク、ＤＶＤ（Digital  Versatile  Disk）などである。
【００２８】
空気調和機１の室外制御部５１、室内制御部６１およびリモコン制御部７１は、専用のハードウェアを用いて実現されてもよいし、図６に示す制御回路であってもよい。携帯端末２の端末制御部２１と、機器情報管理装置３の重複検知部３２および機器情報管理部３４とは、図６に示す制御回路である。プロセッサ９１は、メモリ９２に記憶されたコンピュータプログラムを読みだして実行することにより、室外制御部５１、室内制御部６１、リモコン制御部７１、端末制御部２１、重複検知部３２、および機器情報管理部３４のそれぞれの機能を実現することができる。
【００２９】
メモリ５２，６２，７３、メモリ部２７、および機器情報データベース３３は、上記のメモリ９２と同様の不揮発性または揮発性の半導体メモリ、磁気ディスクなどである。リモートコントローラ７の携帯通信部７２、携帯端末２のクラウド通信部２４および機器通信部２５、および機器情報管理装置３の通信部３１は、通信装置を用いて実現される。
【００３０】
携帯端末２の端末操作部２２は、タッチセンサ、携帯端末２の筐体に設けられたボタンなどである。端末表示部２３は、液晶ディスプレイ、有機ＥＬ（Electro  Luminescence）ディスプレイなどの表示装置である。
【００３１】
図７は、図５に示す機器情報管理装置３の動作を示すフローチャートである。図７に示す動作は、図２のステップＳ１０４に示す機器情報の登録処理に相当する。このため、機器情報には、携帯端末２において、入力手段情報が付加されているものとする。また、図７に示す動作は、新たに設置した空気調和機１の機器情報を機器情報管理装置３に登録する際の動作を示している。
【００３２】
重複検知部３２は、通信部３１が新規登録機器情報を受信すると、新規登録機器情報と、機器情報データベース３３に記憶された登録済機器情報とに基づいて、重複判定を行う（ステップＳ２０１）。重複判定は、新規登録機器情報に含まれる識別情報と同一の識別情報が、機器情報データベース３３に記憶された登録済機器情報に含まれていないか否かを判断することによって行われる。重複検知部３２は、検知結果を機器情報管理部３４に入力する。
【００３３】
機器情報管理部３４は、検知結果に基づいて、重複があるか否かを判断する（ステップＳ２０２）。重複がない場合（ステップＳ２０２：Ｎｏ）、機器情報管理部３４は、新規登録機器情報を登録する（ステップＳ２０３）。
【００３４】
重複がある場合（ステップＳ２０２：Ｙｅｓ）、機器情報管理部３４は、新規登録機器情報に含まれる入力手段情報である新規入力手段が自動であるか否かを判断する（ステップＳ２０４）。新規入力手段が自動である場合（ステップＳ２０４：Ｙｅｓ）、機器情報管理部３４は、新規登録機器情報を登録する（ステップＳ２０３）。
【００３５】
新規入力手段が手動である場合（ステップＳ２０４：Ｎｏ）、機器情報管理部３４は、新規登録機器情報に含まれる識別情報と重複した登録済機器情報に含まれる入力手段情報である登録済入力手段が自動であるか否かを判断する（ステップＳ２０５）。
【００３６】
登録済入力手段が自動である場合（ステップＳ２０５：Ｙｅｓ）、機器情報管理部３４は、新規登録機器情報の再入力を促す画面＃１を携帯端末２に表示させる（ステップＳ２０６）。
【００３７】
図８は、図７に示すステップＳ２０６で表示される画面＃１を示す図である。画面＃１は、新規登録機器情報の再入力を促すメッセージ「追加する機器の識別情報が誤っています」「もう一度入力してください」と、識別情報の入力欄と、入力方法の変更ボタンとを含む。図８に示す画面＃１は、手動で識別情報を入力するための画面であり、入力方法の変更ボタンが押下されると、自動入力のための画面が表示される。画面＃１は、機器情報の重複が検知され、新規入力手段が手動であり、且つ登録済入力手段が自動である場合に表示される。この場合、機器情報管理部３４は、新規登録機器情報が誤っていると判断し、新規登録機器情報を再入力させる。
【００３８】
図７の説明に戻る。登録済入力手段が手動である場合（ステップＳ２０５：Ｎｏ）、機器情報管理部３４は、新規登録機器情報および登録済機器情報の確認または再入力を促す画面＃２を携帯端末２に表示させる（ステップＳ２０７）。
【００３９】
図９は、図７に示すステップＳ２０７で表示される画面＃２を示す図である。画面＃２は、新規登録機器情報および登録済機器情報の確認または再入力を促すメッセージ「追加する機器または登録済の機器の識別情報が誤っています」「確認の上、識別情報を修正してください」と、識別情報の入力欄と、入力方法の変更ボタンとを含む。画面＃２は、機器情報の重複が検知され、新規入力手段および登録済入力手段がいずれも手動である場合に表示される。この場合、機器情報管理部３４は、新規登録機器情報および登録済機器情報の少なくとも一方が誤っているが、誤っている機器情報を特定できないと判断する。この場合、新規登録機器情報または登録済機器情報は正しい可能性もある。このため、機器情報管理部３４は、画面＃２に、入力された識別情報を表示して、誤った識別情報の修正入力を受け付けるとともに、正しい識別情報はそのまま再度送信することができるようにする。
【００４０】
画面＃１および画面＃２において、ユーザが機器情報の再入力を行うと、ステップＳ２０１の処理に戻る。
【００４１】
以上説明したように、本発明の実施の形態１によれば、機器情報管理装置３は、新たに登録しようとする機器情報である新規登録機器情報と、登録済機器情報とを比較し、機器情報に含まれる識別情報の重複を検知する。識別情報が重複した場合、機器情報管理装置３は、入力手段情報に基づいて、新規登録機器情報を登録するか否かを判断する。
【００４２】
上記のような構成をとることで、機器情報管理装置３は、入力手段情報に基づいて新規登録機器情報を登録するか否かが判断されるため、手動で誤った新規登録機器情報が入力された場合であっても、機器情報の誤登録を抑制することが可能になる。
【００４３】
具体的には、機器情報管理装置３は、新規入力手段が自動である場合、新規登録機器情報を登録し、新規入力手段が手動である場合、新規登録機器情報をそのまま登録せずに、確認または再入力を促す。さらに、新規入力手段が手動であり、且つ、登録済入力手段が自動の場合には、機器情報管理装置３は、登録済機器情報が正しく、新規登録機器情報が誤っていると判定し、新規入力機器情報の再入力を促す。また新規入力手段が手動であり、且つ、登録済入力手段も手動である場合、どちらの機器情報が誤っているのか判定がつかないため、機器情報管理装置３は、機器情報の確認または再入力を促す。
【００４４】
上記のような構成をとることで、機器情報管理装置３は、新規登録機器情報が誤っている場合、新規登録機器情報が誤っている可能性がある場合には、ユーザに機器情報の確認または再入力を促すため、機器情報の誤登録を抑制することが可能になる。
【００４５】
なお、図７では、機器情報の重複が検知され、新規入力手段が自動の場合、新規登録機器情報を登録し、登録済機器情報についてはそのままとしているが、機器情報管理部３４は、登録済機器情報の修正を受け付ける画面を表示してもよい。
【００４６】
実施の形態２．
上記の実施の形態１では、新たに登録する機器は、新たに設置した空気調和機１であることとしたが、新たに機器を登録するシチュエーションは、新たに設置する場合の他に、機器の交換、移設などが考えられる。特に機器を移設する場合には、登録対象の機器の識別情報が既に登録されている場合であっても、識別情報の誤りではない可能性がある。そこで、実施の形態２では、機器を移設する可能性がある場合であっても、機器情報の誤登録を抑制可能な機器情報管理装置３について説明する。
【００４７】
なお、機器情報管理システム１０の構成および機器情報管理システム１０に含まれる各機器の構成は、実施の形態１と同様であるため、ここでは詳しい説明を省略する。以下、実施の形態１と異なる部分について主に説明する。
【００４８】
実施の形態２では、機器情報管理装置３は、入力手段情報に加えて、登録対象の空気調和機１を登録する理由が機器の移設であるか否かを示す登録理由情報を用いて、新規登録機器情報を登録するか否かを判断する。登録理由情報は、具体的には、登録対象の空気調和機１を登録する理由が、機器の移設、機器の新設、機器の交換のいずれであるかを示す。登録理由情報は、例えば、図２のステップＳ１０２において、携帯端末２が入力手段情報を機器情報に付加する際に、機器情報に付加されて、機器情報管理装置３に送信される。或いは、登録理由情報は、機器情報の登録処理の中で、携帯端末２から機器情報管理装置３に送信されてもよい。登録理由情報は、携帯端末２を介してユーザが入力することができる。以下では、登録理由情報は、携帯端末２が機器情報を送信する前に、機器情報に付加されているものとして説明を行う。
【００４９】
図１０は、本発明の実施の形態２にかかる機器情報管理装置３の動作を示すフローチャートである。図１０に示す動作は、図２のステップＳ１０４に示す機器情報の登録処理に相当する。このため、機器情報には、携帯端末２において、入力手段情報が付加されているものとする。また、図１０に示す動作は、新設、交換、または移設した空気調和機１の機器情報を機器情報管理装置３に登録する際の動作を示している。
【００５０】
重複検知部３２は、通信部３１が新規登録機器情報を受信すると、新規登録機器情報と、機器情報データベース３３に記憶された登録済機器情報とに基づいて、重複判定を行う（ステップＳ３０１）。重複判定は、新規登録機器情報に含まれる識別情報と同一の識別情報が、機器情報データベース３３に記憶された登録済機器情報に含まれていないか否かを判断することによって行われる。重複検知部３２は、検知結果を機器情報管理部３４に入力する。
【００５１】
機器情報管理部３４は、検知結果に基づいて、重複があるか否かを判断する（ステップＳ３０２）。重複がない場合（ステップＳ３０２：Ｎｏ）、機器情報管理部３４は、新規登録機器情報を登録する（ステップＳ３０３）。
【００５２】
重複がある場合（ステップＳ３０２：Ｙｅｓ）、機器情報管理部３４は、新規登録機器情報に含まれる入力手段情報である新規入力手段が自動であるか否かを判断する（ステップＳ３０４）。新規入力手段が自動である場合（ステップＳ３０４：Ｙｅｓ）、機器情報管理部３４は、登録済入力手段は自動であるか否かを判断する（ステップＳ３０５）。登録済入力手段が自動である場合（ステップＳ３０５：Ｙｅｓ）、識別情報が重複している２つの機器のいずれも自動で入力されており、識別情報は正しいと判断できる。登録理由が移設の場合には識別情報が重複することもあるため、この場合、機器情報管理部３４は、新規登録機器情報を登録する（ステップＳ３０３）。
【００５３】
登録済入力手段が手動である場合（ステップＳ３０５：Ｎｏ）、機器情報管理部３４は、新規登録機器情報に含まれる登録理由情報に基づいて、登録理由は移設であるか否かを判断する（ステップＳ３０６）。登録理由が移設である場合（ステップＳ３０６：Ｙｅｓ）、機器情報管理部３４は、登録済機器情報の確認または再入力を促す画面＃３を携帯端末２に表示させる（ステップＳ３０７）。
【００５４】
図１１は、図１０に示すステップＳ３０７で表示される画面＃３を示す図である。画面＃３は、登録済機器情報の確認または再入力を促すメッセージ「入力した識別情報が既に登録されています」「登録済みの識別情報が誤っている可能性がありますのでご確認ください」と、識別情報の入力欄と、入力方法の変更ボタンとを含む。また画面＃３には、入力された新規登録機器情報に含まれる識別情報が新規登録識別情報として表示されており、入力された新規登録機器情報と重複する登録済機器情報の識別情報が登録済識別情報として表示されている。新規登録識別情報は変更入力ができない状態で表示されており、登録済識別情報は、識別情報の入力欄に変更入力が可能な状態で表示されている。
【００５５】
画面＃３は、機器情報の重複が検知され、新規入力手段が自動であり、登録済入力手段が手動であり、且つ、登録理由が移設である場合に表示される。この場合、機器情報管理部３４は、登録済機器情報が誤っている可能性があると判断し、登録済機器情報を再入力させる。登録理由が移設の場合には、識別情報が重複していても両方とも正しい可能性もあるため、機器情報管理部３４は、登録済機器情報が誤っているか否かを判定できない状態であると判断し、登録済機器情報の確認または再入力を促す。画面＃３が表示される場合、新規登録機器情報は正しいと判定でき、登録済機器情報は、正しい場合もあれば、誤っている場合もある。
【００５６】
図１０の説明に戻る。登録理由が新設または交換である場合（ステップＳ３０６：Ｎｏ）、機器情報管理部３４は、登録済機器情報の再入力を促す画面＃４を携帯端末２に表示させる（ステップＳ３０８）。
【００５７】
図１２は、図１０に示すステップＳ３０８で表示される画面＃４を示す図である。画面＃４は、登録済機器情報の再入力を促すメッセージ「入力した識別情報が既に登録されています」「登録済みの識別情報が誤っていますので変更してください」と、識別情報の入力欄と、入力方法の変更ボタンとを含む。また画面＃４には、入力された新規登録機器情報に含まれる識別情報が新規登録識別情報として表示されている。新規登録識別情報は変更入力ができない状態で表示されており、登録済識別情報の入力欄は空白である。
【００５８】
画面＃４は、機器情報の重複が検知され、新規入力手段が自動であり、登録済入力手段が手動であり、且つ、登録理由が移設でない場合に表示される。この場合、機器情報管理部３４は、登録済機器情報が誤っていると判定することができる状態であると判断し、登録済機器情報の再入力を促す。画面＃４が表示される場合、新規登録機器情報は正しいと判定でき、登録済機器情報は誤っていると判定できる。
【００５９】
図１０の説明に戻る。機器情報管理部３４は、画面＃３または画面＃４を携帯端末２に表示させると、画面＃３または画面＃４に対するユーザの入力を受け付ける（ステップＳ３０９）。ここで画面＃３を操作するユーザは、登録済機器情報の識別情報を再入力して送信する操作を行うこともできるし、登録済機器情報の識別情報を変更せずに送信することもできる。画面＃４を操作するユーザは、登録済機器情報の識別情報を再入力して送信する操作を行うことができる。
【００６０】
機器情報管理部３４は、ユーザの入力を受け付けると、新規登録機器情報を機器情報データベース３３に登録する（ステップＳ３１０）。そして、ステップＳ３０９において受け付けた入力が、機器情報の変更入力であるか否かを判断する（ステップＳ３１１）。
【００６１】
機器情報の変更入力がある場合（ステップＳ３１１：Ｙｅｓ）、機器情報管理部３４は、機器情報データベース３３に登録済の機器情報を、入力された情報に基づいて修正する（ステップＳ３１２）。機器情報の変更入力がない場合（ステップＳ３１１：Ｎｏ）、ステップＳ３１２の処理は省略される。
【００６２】
新規入力手段が手動である場合（ステップＳ３０４：Ｎｏ）、機器情報管理部３４は、登録済入力手段は自動であるか否かを判断する（ステップＳ３１３）。登録済入力手段が手動である場合（ステップＳ３１３：Ｎｏ）、機器情報管理部３４は、新規登録機器情報または登録済機器情報の確認または再入力を促す画面＃５を携帯端末２に表示させる（ステップＳ３１４）。
【００６３】
図１３は、図１０に示すステップＳ３１４で表示される画面＃５を示す図である。画面＃５は、新規登録機器情報または登録済機器情報の確認または再入力を促すメッセージ「入力した識別情報が既に登録されています」「登録済みの識別情報・入力した識別情報が誤っている可能性がありますのでご確認ください」と、識別情報の入力欄と、入力方法の変更ボタンとを含む。また画面＃５には、入力された新規登録機器情報に含まれる識別情報が新規登録識別情報として表示されており、入力された新規登録機器情報と重複する登録済機器情報の識別情報が登録済識別情報として表示されている。新規登録識別情報および登録済識別情報は、識別情報の入力欄にいずれも変更入力が可能な状態で表示されている。
【００６４】
画面＃５は、機器情報の重複が検知され、新規入力手段が手動であり、且つ、登録済入力手段が手動である場合に表示される。この場合、機器情報管理部３４は、新規登録機器情報および登録済機器情報のいずれも誤っているか否かを判定できない状態であると判断し、新規登録機器情報および登録済機器情報の確認または再入力を促す。画面＃５が表示される場合、新規登録機器情報および登録済機器情報のいずれも正しい場合もあれば、誤っている場合もある。
【００６５】
図１０の説明に戻る。登録済入力手段が自動である場合（ステップＳ３１３：Ｙｅｓ）、機器情報管理部３４は、登録理由が移設であるか否かを判断する（ステップＳ３１５）。登録理由が移設である場合（ステップＳ３１５：Ｙｅｓ）、機器情報管理部３４は、新規登録機器情報の確認または再入力を促す画面＃６を携帯端末２に表示させる（ステップＳ３１６）。
【００６６】
図１４は、図１０に示すステップＳ３１６で表示される画面＃６を示す図である。画面＃６は、新規登録機器情報の確認または再入力を促すメッセージ「入力した識別情報が既に登録されています」「入力した識別情報が誤っている可能性がありますのでご確認ください」と、識別情報の入力欄と、入力方法の変更ボタンとを含む。また画面＃６には、入力された新規登録機器情報に含まれる識別情報が新規登録識別情報として表示されており、入力された新規登録機器情報と重複する登録済機器情報の識別情報が登録済識別情報として表示されている。新規登録識別情報は、識別情報の入力欄に変更入力が可能な状態で表示されており、登録済識別情報は、変更入力ができない状態で表示されている。
【００６７】
画面＃６は、機器情報の重複が検知され、新規入力手段が手動であり、登録済入力手段が自動であり、且つ、登録理由が移設である場合に表示される。この場合、機器情報管理部３４は、登録済機器情報は正しいと判断し、新規登録機器情報は誤っているか否かを判定できない状態であると判断し、新規登録機器情報の確認または再入力を促す。画面＃６が表示される場合、登録済機器情報は正しく、新規登録機器情報は正しい場合もあれば、誤っている場合もある。
【００６８】
図１０の説明に戻る。機器情報管理部３４は、画面＃５または画面＃６を携帯端末２に表示させると、画面＃５または画面＃６に対するユーザの入力を受け付ける（ステップＳ３１７）。ここで画面＃５を操作するユーザは、登録済機器情報の識別情報を再入力して送信する操作を行うこともできるし、登録済機器情報の識別情報を変更せずにそのまま送信することもできる。また、画面＃５を操作するユーザは、新規登録機器情報の識別情報を再入力して送信する操作を行うこともできるし、新規登録機器情報の識別情報を変更せずにそのまま送信することもできる。画面＃６を操作するユーザは、新規登録機器情報の識別情報を再入力して送信する操作を行うこともできるし、新規登録機器情報の識別情報を変更せずにそのまま送信することもできる。
【００６９】
機器情報管理部３４は、ユーザの入力を受け付けると、ステップＳ３１７において受け付けた入力が、機器情報の変更入力であるか否かを判断する（ステップＳ３１８）。
【００７０】
機器情報の変更入力がない場合（ステップＳ３１８：Ｎｏ）、機器情報管理部３４は、新規登録機器情報を機器情報データベース３３に登録して処理を終える（ステップＳ３１９）。機器情報の変更入力がある場合（ステップＳ３１８：Ｙｅｓ）、機器情報管理部３４は、ステップＳ３１７で入力された機器情報に基づいて、ステップＳ３０１の処理に戻る。
【００７１】
登録理由が新設または交換である場合（ステップＳ３１５：Ｎｏ）、機器情報管理部３４は、新規登録機器情報の再入力を促す画面＃７を携帯端末２に表示させる（ステップＳ３２０）。
【００７２】
図１５は、図１０に示すステップＳ３２０で表示される画面＃７を示す図である。画面＃７は、新規登録機器情報の再入力を促すメッセージ「入力した識別情報が既に登録されています」「入力した識別情報が誤っていますので変更してください」と、識別情報の入力欄と、入力方法の変更ボタンとを含む。また画面＃７には入力された新規登録機器情報と重複する登録済機器情報の識別情報が登録済識別情報として表示されている。登録済識別情報は、変更入力ができない状態で表示されている。
【００７３】
画面＃７は、機器情報の重複が検知され、新規入力手段が手動であり、登録済入力手段が自動であり、且つ、登録理由が移設でない場合、つまり登録理由が新設または交換である場合に表示される。この場合、機器情報管理部３４は、登録済機器情報は正しく、新規登録機器情報は誤っていると判断し、新規登録機器情報の再入力を促す。画面＃７が表示される場合、登録済機器情報は正しく、新規登録機器情報は誤っている。
【００７４】
図１０の説明に戻る。機器情報管理部３４は、画面＃７を携帯端末２に表示させると、画面＃７に対するユーザの入力を受け付ける（ステップＳ３２１）。ここで画面＃７を操作するユーザは、新規登録機器情報の識別情報を再入力して送信する操作を行うことができる。機器情報管理部３４は、ステップＳ３２１で入力された機器情報に基づいて、ステップＳ３０１の処理に戻る。
【００７５】
以上説明したように、本発明の実施の形態２によれば、機器情報管理装置３は、新たに登録しようとする機器情報である新規登録機器情報と、登録済機器情報とを比較し、機器情報に含まれる識別情報の重複を検知する。識別情報が重複した場合、機器情報管理装置３は、入力手段情報および登録理由情報に基づいて、新規登録機器情報を登録するか否かを判断する。
【００７６】
上記のような構成をとることで、機器情報管理装置３は、入力手段情報および登録理由情報に基づいて新規登録機器情報を登録するか否かが判断されるため、手動で誤った新規登録機器情報が入力された場合であっても、機器情報の誤登録を抑制することが可能になる。ここで登録理由情報を用いることで、機器が移設される可能性がある場合であっても、新規登録機器情報が誤っているか否か、または、誤っているか否かを判定できない状態かを判断することが可能になる。
【００７７】
入力手段は、自動または手動であり、機器情報管理部３４は、新規登録機器情報の入力手段が自動の場合、新規登録機器情報を機器情報データベース３３に登録し、新規登録機器情報の入力手段が手動の場合、新規登録機器情報に含まれる識別情報の確認または再入力を促す画面を携帯端末２に表示させる。機器情報管理部３４は、携帯端末２に表示させる画面に、入力手段情報および登録理由情報に基づいて判断した各機器情報の状態ごとに異なるメッセージを表示する。機器情報の状態とは、機器情報が正しいと判定できる状態、機器情報が誤っていると判定できる状態、または、機器情報が誤っているか否かを判定することができない状態である。このような状態ごとに異なり、機器情報の状態を示すメッセージを表示することで、ユーザが識別情報を再入力すべきか否かの判断を支援することができる。
【００７８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７９】
１  空気調和機、２  携帯端末、３  機器情報管理装置、４  クラウドネットワーク、５  室外機、６  室内機、７  リモートコントローラ、１０  機器情報管理システム、２１  端末制御部、２２  端末操作部、２３  端末表示部、２４  クラウド通信部、２５  機器通信部、２６  カメラ部、２７  メモリ部、３１  通信部、３２  重複検知部、３３  機器情報データベース、３４  機器情報管理部、５１  室外制御部、５２，６２，７３，９２  メモリ、６１  室内制御部、７１  リモコン制御部、７２  携帯通信部、９１  プロセッサ。
【図１】
2020106886.tif 000003
【図２】
2020106886.tif 000004
【図３】
2020106886.tif 000005
【図４】
2020106886.tif 000006
【図５】
2020106886.tif 000007
【図６】
2020106886.tif 000008
【図７】
2020106886.tif 000009
【図８】
2020106886.tif 000010
【図９】
2020106886.tif 000011
【図１０】
2020106886.tif 000012
【図１１】
2020106886.tif 000013
【図１２】
2020106886.tif 000014
【図１３】
2020106886.tif 000015
【図１４】
2020106886.tif 000016
【図１５】
2020106886.tif 000017